(57)【特許請求の範囲】
【請求項１】
下縁湾曲部にカップワイヤー部を有する左右一対のカップ部と、この左右一対のカップ部を前中心で連結する前中心部と、前記カップ部の脇側に連結された脇部とを備えるカップ付き女性用衣類において、
前記カップ部は、押圧力に抗する弾性を有するカップ弾性材を含んで構成され、
前記前中心部は、押圧力に抗する弾性を有する前中心弾性材を含んで構成され、
前記脇部は、押圧力に抗する弾性を有する脇部弾性材を含んで構成され、
前記カップ弾性材の前中心側縁部、前記前中心弾性材の縁部および前記脇部弾性材の縁部は、前記カップワイヤー部の肌側に縫着され、
前記脇部弾性材と前記カップ弾性材の各縁部は、相互に突き合わされて縫着され、かつこの縫着部分に前記カップワイヤー部が縫着されている
ことを特徴とするカップ付き女性用衣類。
【請求項２】
前記前中心弾性材と前記カップ弾性材は縁部同士が重ねられて相互に縫着され、かつこの縫着部分に前記カップワイヤー部が縫着されていることを特徴とする請求項１記載のカップ付き女性用衣類。
【請求項３】
前記カップ部は、前記カップ弾性材をその肌側に含み、かつ表カップ布を前側に含んで構成され、
前記カップ弾性材の脇側縁部は、前記カップワイヤー部との間に前記脇部の縁部と表カップ布の縁部とを肌側から差し入れて挟むように相互に縫着されていることを特徴とする請求項１または２記載のカップ付き女性用衣類。
【発明の詳細な説明】
【０００１】
【発明の属する技術分野】
本発明はカップ付き女性用衣類に関し、例えばブラジャー、ブラキャミソール等のファンデーション衣類、あるいは水着やレオタードなどに適用される。
【０００２】
【従来の技術】
従来から知られているブラジャーの代表的なものとして、例えば特開平７−１３３５０３号公報のものがある。このブラジャーでは、カップ部の下縁湾曲部にカップワイヤー部を備えており、この硬質のカップワイヤー部の前中心側には前中心布が縫着され、脇側にはバック布に続く脇布が縫着されている。この場合、硬質のカップワイヤー部は脇布や前中心布に対して肌側に位置するのが一般的であり、着用者の身体にワイヤー跡を残すのが普通であった。
【０００３】
そこで、例えば実開昭６２−１２６３０９号公報や特開平６−１９２９０３号公報のように、カップワイヤー部を外側（前側すなわち肌側の反対側）に配設したブラジャーも提案されている。
【０００４】
【発明が解決しようとする課題】
しかし、上記従来のブラジャーでは身体に対する防護機能が充分ではなく、特に前中心におけるフィット感が劣り、あるいは脇の部分で身体にカップワイヤー部がワイヤー跡を残してしまう欠点があった。ブラジャーにおいては前中心の安定が極めて重要であり、かつ脇の部分には身体の動きに応じて様々な応力等が加わることを考慮すると、これらの部分での工夫が必ずしも十分ではなかった。
【０００５】
そこで本発明の第一態様は、前中心におけるフィッティング性と安定性を大幅に改善したカップ付き女性用衣類を提供することを目的とし、本発明の第二態様は、脇の部分において着用者に無理な負担を与えることのないカップ付き女性用衣類を提供することを目的とする。
【０００６】
【課題を解決するための手段】
請求項１に示す本発明は、下縁湾曲部にカップワイヤー部を有する左右一対のカップ部と、この左右一対のカップ部を前中心で連結する前中心部と、カップ部の脇側に連結された脇部とを備えるカップ付き女性用衣類において、カップ部は、押圧力に抗する弾性を有するカップ弾性材を含んで構成され、前中心部は、押圧力に抗する弾性を有する前中心弾性材を含んで構成され、脇部は、押圧力に抗する弾性を有する脇部弾性材を含んで構成され、カップ弾性材の前中心側縁部、前中心弾性材の縁部および脇部弾性材の縁部は、カップワイヤー部の肌側に縫着され、脇部弾性材とカップ弾性材の各縁部は、相互に突き合わされて縫着され、かつこの縫着部分に前記カップワイヤー部が縫着されていることを特徴とする。この発明によれば、着用者の前中心の部分において好適に前中心部を肌にフィットさせ、かつ安定性を向上させることができる。また、前中心弾性材が肌に対するフィット感を更に高め、かつブラジャーの保形性や造形機能の中心部分となる前中心が、一定の厚みを有する前中心弾性材により更に安定する。さらに、一定の厚みを有するカップ弾性材により、カップの保形性を更に向上できる。また、カップワイヤー部が脇部の前側に取り付けられることにより、着用者の脇の部分に生じ易い不具合を克服し、着用感を向上できる。また、脇部弾性材の縁部がカップワイヤー部の肌側に位置してカップワイヤー部に縫着されてることにより、身体の脇の部分におけるフィット感を更に向上できる。また、脇部弾性材の縁部がカップワイヤー部の肌側に位置してカップ部の縁部に縫着されていることにより、脇の部分におけるフィット感を向上させつつ、カップ部と脇部の連結を安定にできる。
【０００９】
本発明において、請求項２に示すように、前中心弾性材とカップ弾性材は縁部同士が重ねられて相互に縫着され、かつこの縫着部分にカップワイヤー部が縫着されていることを特徴としても良い。このようにすれば、カップワイヤー部が前中心弾性材とカップ弾性材を介して更に肌に対して優しくフィットし、かつ一定の厚みを有するカップ弾性材が同じく一定の厚みを有する前中心弾性材に縫着されるので、前中心における安定性を高める作用がある。
【００１３】
本発明において、請求項３に示すように、カップ弾性材をその肌側に含み、かつ表カップ布を前側に含んで構成され、カップ弾性材の脇側縁部はカップワイヤー部との間に脇部の縁部と表カップ布の縁部とを肌側から差し入れて挟むように相互に縫着されていることを特徴としても良い。このようにすれば、カップ部と脇部の連結を安定にしつつ、カップ部の装飾性を表カップ布で向上させることができる。
【００１４】
【発明の実施の形態】
以下、添付の図面を参照して本発明の実施形態を説明する。なお、同一の要素には同一の符号を付し、重複する説明は省略する。
【００１５】
図１は、実施形態に係るワイヤーフォーム型ブラジャーを前側から見た図である。このブラジャーは左右が対称であるため一方のみを説明すると、カップ部１の下縁湾曲部にはカップワイヤー部２が取り付けられ、前中心側の縁部には前中心部３が縫着され、脇側の縁部には脇部４が縫着される。カップ部１および前中心部３の前側には後述のようにフロント布（表カップ布）が設けられており、このためカップワイヤー部２は図１では破線で描いてある。
【００１６】
本発明の第一態様の特徴はカップ部１と前中心部３との連結部近傍にあり、第二態様の特徴はカップ部１と脇部４の連結部近傍にあり、前者は図２〜図４において、後者は図６〜８において、それぞれ断面図で詳細に示す。
【００１７】
図２は、第一態様の特徴に係るカップ部１と前中心部３との連結部近傍の断面図であり、特に左のカップ部１と前中心部３の連結部の構成を示している。まず、各要素の位置関係を説明すると、カップ部１は押圧力に抗して弾性を有するカップ弾性材１１を備え、前中心部３は同様に押圧力に抗して弾性を有する前中心弾性材３１を備えている。カップワイヤー部２は形状記憶合金やプラスチック等で形成されたカップワイヤー２１をその中心部に有し、その両面を前側ワイヤーテープ２２と肌側ワイヤーテープ２３で挟んで、更にループバイアス２４を巻き付けて構成されている。そして、カップワイヤー部２に対応する肌側の位置には肌側バイアステープ５１が設けられ、カップ部１および前中心部３の前側にはフロント布５２が設けられている。
【００１８】
次に、各要素の縫着関係について説明すると、図２中に平行な二本の破線で縫着位置を示すように、カップ弾性材１１と前中心弾性材３１の各縁部はカップ弾性材１１が肌側に位置するように相互に縫着される。そして、ループバイアス２４で巻かれたカップワイヤー部２と肌側バイアステープ５１とは、これらの間にカップ弾性材１１と前中心弾性材３１の縫着部を挟むようにして相互に縫着されている。さらに、フロント布５２はその左右の一対が前中心にて相互に縫着されている。
【００１９】
ここで、各要素の素材について説明すると、カップ弾性材１１は例えばポリエステルハーフトリコット（前側）、ポリウレタン発泡体およびポリエステルウーリー天竺（肌側）の三層構造であり、主としてポリウレタン発泡体が押圧力に抗する弾性を付与する。前中心弾性材３１は例えば（前側）ポリエステルトリコット、不織布およびポリエステルウーリー天竺（肌側）の三層構造であり、主として不織布が押圧力に抗する弾性を付与する。なお、通常は前中心弾性材３１に比べるとカップ弾性材１１はより肉厚である。
【００２０】
また、前側ワイヤーテープ２２は例えばポリエステルトリコットテープを二枚重ねた二層構造であり、肌側ワイヤーテープ２３およびループバイアス２４は例えば一枚のポリエステルトリコットテープで形成される。フロント布５２としては、例えばチュールレースやツーウエイトリコットを用いることができる。なお、上記の素材の重ね合せや貼り合せはラミネート接着としても良いが、これに限られるものではない。
【００２１】
本実施形態のブラジャーは、前中心の連結部が上記のように構成されるため、次のような作用・効果を奏する。
【００２２】
まず、硬質のカップワイヤー２１を中心部に有するカップワイヤー部２の肌側には、押圧力に抗する弾性を有するカップ弾性材１１および前中心弾性材３１が介在しているため、着用者の肌にワイヤー跡を生じさせたりすることがなく、無理な負担を与えたりすることもない。また、前中心部３には押圧力に抗する弾性を有する前中心弾性材３１が設けられているため、着用者の前中心の部分において好適に前中心部３を肌にフィットさせることができる。このため、着用感が向上し前中心における発汗を吸収して放散できる付加的な効果がある。
【００２３】
また、ブラジャーの保形性や造形機能の中心部分となる前中心が、前中心弾性材により更に安定する。すなわち、押圧力に抗する弾性を有する前中心弾性材３１は一定の肉厚を有しているので、左右のカップワイヤー部２を中心で支える支軸として機能し、特に前中心弾性材３１とカップワイヤー部２が重ねて縫着されているときは支軸機能に優れ、前中心におけるブラジャーの安定性を高めることとなる。
【００２４】
さらに、フロント布５２がカップワイヤー部２および前中心部３の前側を覆うように設けられているため、装飾機能を損なうこともない。特に、本実施形態ではカップワイヤー部２がカップ部１や前中心部３の前側に位置するため、フロント布５２により美観を向上できる。また、カップワイヤー部２に沿って肌側には肌側バイアステープ５１が縫着されているので、縫着の強度を高めることもできる。
【００２５】
図３は、第一態様の別の例の断面図である。図２と異なる点は、フロント布５２が前中心弾性材３１とカップワイヤー部２の間に介在されていることである。なお、各要素の素材については図２の例と同様である。
【００２６】
この図３の場合にも、カップワイヤー部２の肌側にはカップ弾性材１１および前中心弾性材３１が介在しているため、着用者の肌にワイヤー跡を生じさせたりすることがなく、無理な負担を与えたりすることもない。また、前中心部３には前中心弾性材３１が設けられているため、着用者の前中心の部分において好適に前中心部３を肌にフィットさせることができ、かつブラジャーの保形性や造形機能の中心部分となる前中心が安定する。
【００２７】
図４は、第一態様の更に別の例の断面図である。図２と異なる点は、フロント布がカップ部１を覆うカップフロント布５２Ａと前中心部３を覆う前中心フロント布５２Ｂに二分され、前中心フロント布５２Ｂが前中心弾性材３１の前面にラミネート接着されていることである。なお、各要素の素材については図２の例と同様である。
【００２８】
この図４の場合にも、カップワイヤー部２の肌側にはカップ弾性材１１および前中心弾性材３１が介在しているため、着用者の肌にワイヤー跡を生じさせたりすることがなく、無理な負担を与えたりすることもない。また、前中心部３には前中心フロント布５２Ｂが前面にラミネート接着され前中心弾性材３１が設けられているため、着用者の前中心の部分において好適に前中心部３を肌にフィットさせることができ、かつブラジャーの保形性や造形機能の中心部分となる前中心が安定する。
【００２９】
次に、本発明の第二態様を説明する。この場合の特徴は、カップ部１と脇部４の連結部附近の構成にあり、具体的な断面構成は図６〜８に示される。図６〜図８は図５のＡ−Ａ線断面に対応しており、図５におけるアンダー部６は脇部４から連続している。更に、図５において弾性材を有する脇部４は同じく弾性材を有するアンダー部６に連続（アンダー部は更に弾性材を有する前中心部に連続）する一方で、バック部に連続していても良い。
【００３０】
図６は、第二態様の特徴に係るカップ部１とアンダー部６（脇部４も同じ）との連結部近傍の断面図であり、特に左のカップ部１とアンダー部６の連結部の構成を示している。まず、各要素の位置関係を説明すると、カップ部１は押圧力に抗して弾性を有するカップ弾性材１１を備え、アンダー部６は同様に押圧力に抗して弾性を有するアンダー弾性材６１を備えている。なお、このアンダー弾性材６１は脇部４における脇弾性材に連続し（これらが第二態様の特徴的構成要素をなす脇部弾性材を構成する）、更にアンダー弾性材６１は前中心部における前中心弾性材に連続していても良い。このように、前中心部、アンダー部および脇部のそれぞれに前中心弾性材、アンダー弾性材および脇弾性材を連続するように設ければ、これらがフラットな面に配置されて着用者の胸部におけるフィット感を向上できる。
【００３１】
カップワイヤー部２は形状記憶合金やプラスチック等で形成されたカップワイヤー２１をその中心部に有し、その両面を前側ワイヤーテープ２２と肌側ワイヤーテープ２３で挟んで、更にループバイアス２４を巻き付けて構成されている。そして、カップワイヤー部２に対応する肌側の位置には肌側バイアステープ５１が設けられ、カップ部１の前側にはカップフロント布５２Ｂが設けられ、アンダー部６の前側にはアンダーフロント布５２Ｃが設けられている。
【００３２】
次に、各要素の縫着関係について説明すると、図６中に平行な二本の破線で縫着位置を示すように、カップ弾性材１１とアンダー弾性材６１の各縁部は相互に突き合わされて縫着される。そして、ループバイアス２４で巻かれたカップワイヤー部２と肌側バイアステープ５１とは、これらの間にカップ弾性材１１とアンダー弾性材６１の縫着部を挟むようにして相互に縫着されている。さらに、両フロント布５２Ｂ，Ｃはその端部がカップワイヤー部２とアンダー弾性材６１およびカップ弾性材１１との間に挟まれて縫着されている。そして、アンダーフロント布５２Ｃの端部はアンダー部６の下端で肌側に折り返されて、テープ５３を重ねた状態でアンダー弾性材６１の下端に縫着されている。
【００３３】
ここで、各要素の素材について説明すると、カップ弾性材１１は例えばポリエステルダブルトリコットまたはポリエステルハーフトリコット（前側）、ポリウレタン発泡体およびポリエステルウーリー天竺（肌側）の三層構造であり、アンダー弾性材６１も同様ないし類似の構成にできる。なお、ポリウレタン発泡体に代えて不織布を用いても良く、これによっても一定の厚みを有しながら押圧力に対して弾性を持たせることができる。
【００３４】
また、前側ワイヤーテープ２２は例えばポリエステルトリコットテープを二枚重ねた二層構造であり、肌側ワイヤーテープ２３およびループバイアス２４は例えば一枚のポリエステルトリコットテープで形成される。カップフロント布５２Ｂとしては例えばチュールレースやツーウエイトリコットを用いることができ、アンダーフロント布５２としては例えばツーウエイラッセルやサテンパワーネットを用いることができる。
【００３５】
本実施形態のブラジャーは、脇部ないしアンダー部近傍の連結部が上記のように構成されるため、次のような作用・効果を奏する。
【００３６】
まず、硬質のカップワイヤー２１を中心部に有するカップワイヤー部２の肌側には、押圧力に抗する弾性を有するカップ弾性材１１ないしアンダー弾性材６１が介在しているため、着用者の肌にワイヤー跡を生じさせたりすることがなく、無理な負担を与えたりすることもない。特に、贅肉の少ないアンダーから脇に至る部分において、フィット感を向上できる。
【００３７】
また、アンダー部６には押圧力に抗する弾性を有するアンダー弾性材６１が設けられているため、保形性を高めることができる。すなわち、押圧力に抗する弾性を有するアンダー弾性材６１は一定の肉厚を有しているので、これがブラジャーの保形機能と安定性を高めることになる。
【００３８】
さらに、カップフロント布５２Ｂがカップワイヤー部２の前側を覆うように設けられているため、装飾機能を損なうこともない。また、カップワイヤー部２に沿って肌側には肌側バイアステープ５１が縫着されているので、強度を高めることもできる。
【００３９】
図７は、第二態様の別の例の断面図である。図６と異なる点は、カップ弾性材１１とアンダー弾性材６１の端部が相互に重ね合わされ、縫着されていることである。なお、各要素の素材については図６の例と同様である。
【００４０】
この図７の場合にも、カップワイヤー部２の肌側にはカップ弾性材１１およびアンダー弾性材６１が介在し、特に両弾性材１１，６１の端部が重なるように縫着されているため、着用者の肌にワイヤー跡を生じさせたりすることがなく、無理な負担を与えたりすることもない。
【００４１】
図８は、第二態様の更に別の例の断面図である。図６と異なる点は、アンダーフロント布５２Ｃがアンダー弾性材６１の前面にラミネート接着され、アンダー部６の下部においてテープ５３で端末処理されていることである。なお、各要素の素材については図６の例と同様である。
【００４２】
この図８の場合にも、カップワイヤー部２の肌側にはカップ弾性材１１およびアンダー弾性材６１が介在しているため、着用者の肌にワイヤー跡を生じさせたりすることがなく、無理な負担を与えたりすることもない。
【００４３】
本発明は上記実施形態に限定されず、種々の変形が可能である。例えば、弾性材は三層構造に限らず二層あるいは四層でも良く、弾性を付与する主材もポリウレタン発泡体、ポリエチレン発泡体や不織布に限られない。フロント布は必須ではなく、省略しても良い。また、第一態様と第二態様を共に有するカップ付き女性用衣類に限らず、いずれか一方のみの特徴を有するものでも良い。
【００４４】
【発明の効果】
以上、詳細に説明した通り、請求項１に示す本発明は、下縁湾曲部にカップワイヤー部を有する左右一対のカップ部と、この左右一対のカップ部を前中心で連結する前中心部と、カップ部の脇側に連結された脇部とを備えるカップ付き女性用衣類において、カップ部は、押圧力に抗する弾性を有するカップ弾性材を含んで構成され、前中心部は、押圧力に抗する弾性を有する前中心弾性材を含んで構成され、脇部は、押圧力に抗する弾性を有する脇部弾性材を含んで構成され、カップ弾性材の前中心側縁部、前中心弾性材の縁部および脇部弾性材の縁部は、カップワイヤー部の肌側に縫着され、脇部弾性材とカップ弾性材の各縁部は、相互に突き合わされて縫着され、かつこの縫着部分に前記カップワイヤー部が縫着されていることを特徴とするので、着用者の前中心の部分において好適に前中心部を肌にフィットさせ、かつ安定性を向上できるという効果がある。また、前中心弾性材が肌に対するフィット感を更に高め、かつブラジャーの保形性や造形機能の中心部分となる前中心が、一定の厚みを有する前中心弾性材により更に安定する効果がある。さらに一定の厚みを有するカップ弾性材によりカップの保形性を更に向上できる効果がある。また、カップワイヤー部が脇部の前側に取り付けられているので、着用者の脇の部分に生じ易い不具合を克服し、着用感を向上できる効果がある。また、脇部弾性材の縁部はカップワイヤー部の肌側に位置してカップワイヤー部に縫着されているので、身体の脇の部分におけるフィット感を更に向上できる効果がある。また、脇部弾性材の縁部はカップワイヤー部の肌側に位置してカップ部の縁部に縫着されているので、脇の部分におけるフィット感を向上させつつ、カップ部と脇部の連結を安定にできる効果がある。
【００４７】
本発明に係るカップ付き女性用衣類において、請求項２に示すように、前中心弾性材とカップ弾性材は縁部同士が重ねられて相互に縫着され、かつこの縫着部分にカップワイヤー部が縫着されていることを特徴とすれば、カップワイヤー部が前中心弾性材とカップ弾性材を介して更に肌に対して優しくフィットし、かつ一定の厚みを有するカップ弾性材が同じく一定の厚みを有する前中心弾性材に縫着されるので、前中心における安定性を高める効果がある。
【００５１】
本発明の第二態様に係るカップ付き女性用衣類において、請求項３に示すように、カップ弾性材をその肌側に含み、かつ表カップ布を前側に含んで構成され、カップ弾性材の脇側縁部はカップワイヤー部との間に脇部の縁部と表カップ布の縁部とを肌側から差し入れて挟むように相互に縫着されていることを特徴とすれば、カップ部と脇部の連結を安定にしつつ、カップ部の装飾性を表カップ布で向上させることができる効果がある。
【図面の簡単な説明】
【図１】実施形態の特徴を備えたブラジャーの正面図である。
【図２】第一態様の一例の断面図である。
【図３】第一態様の別の例の断面図である。
【図４】第一態様の更に別の例の断面図である。
【図５】実施形態の特徴を備えたブラジャーの正面図である。
【図６】第二態様の一例の断面図である。
【図７】第二態様の別の例の断面図である。
【図８】第二態様の更に別の例の断面図である。
【符号の説明】
１…カップ部、１１…カップ弾性材、２…カップワイヤー部、２１…カップワイヤー、２２…前側ワイヤーテープ、２３…肌側ワイヤーテープ、２４…ループバイアス、３…前中心部、３１…前中心弾性材、５１…肌側バイアステープ、５２…フロント布。
【図１】
0003719875.tif 000002
【図２】
0003719875.tif 000003
【図３】
0003719875.tif 000004
【図４】
0003719875.tif 000005
【図５】
0003719875.tif 000006
【図６】
0003719875.tif 000007
【図７】
0003719875.tif 000008
【図８】
0003719875.tif 000009